(57)【要約】【課題】  利用者に装着した形態で、着席あるいは起立した姿勢のいずれでも両手を使って情報の入力を行えるようにする。【解決手段】  右手用キーボード２Ｒは、主に右手による入力に割り当てられた数字やアルファベットに対応したキー４Ｒを備え、固定ベルト５Ｒにより利用者の右足の大腿部に固定される。左手用キーボード２Ｒは、右手用キーボード２Ｒの筐体３Ｒと独立した筐体３Ｌに、主に左手による入力に割り当てられた数字やアルファベットに対応したキー４Ｌを備え、固定ベルト５Ｌにより利用者の左足の大腿部に固定される。このように、利用者の大腿部に右手用キーボード２Ｒおよび左手用キーボード２Ｌを装着することで、起立時や着席時に自然に手を置いた位置にキー４Ｒ，４Ｌが存在する。【選択図】        図１
2005148855.tif 000002
【特許請求の範囲】
【請求項１】
キー入力手段を有する第１の入力部と、
キー入力手段を有し、前記第１の入力部と独立した第２の入力部と、
前記第１の入力部を利用者の一方の大腿部に固定する第１の固定手段と、
前記第２の入力部を利用者の他方の大腿部に固定する第２の固定手段と
を備えたことを特徴とするキー入力装置。
【請求項２】
前記第１の入力部の前記キー入力手段は、主に右手による入力に割り当てられたキー配列で、前記第１の入力部は利用者の右足の大腿部に装着されるとともに、
前記第２の入力部の前記キー入力手段は、主に左手による入力に割り当てられたキー配列で、前記第２の入力部は利用者の左足の大腿部に装着される
ことを特徴とする請求項１記載のキー入力装置。
【請求項３】
前記第１の入力部と前記第２の入力部は可とう性を有する
ことを特徴とする請求項１記載のキー入力装置。
【請求項４】
前記第１の入力部と前記第２の入力部は凸状に湾曲した形状を有する
ことを特徴とする請求項１記載のキー入力装置。
【請求項５】
前記第１の入力部と前記第２の入力部の間は有線で情報の送受が行われる
ことを特徴とする請求項１記載のキー入力装置。
【請求項６】
前記第１の入力部と前記第２の入力部の間は無線で情報の送受が行われる
ことを特徴とする請求項１記載のキー入力装置。
【請求項７】
キー入力手段を有する第１の入力部と、キー入力手段を有し、前記第１の入力部と独立した第２の入力部と、前記第１の入力部を利用者の一方の大腿部に固定する第１の固定手段と、前記第２の入力部を利用者の他方の大腿部に固定する第２の固定手段とを備えたキー入力装置と、
情報の出力装置と、
前記キー入力装置の操作に応じて前記出力装置に情報を出力する制御装置と
を備えたことを特徴とする情報処理装置。
【請求項８】
前記出力装置は、利用者の頭部に装着されて目視情報を出力する表示装置である
ことを特徴とする請求項７記載の情報処理装置。
【請求項９】
前記キー入力装置と前記制御装置の間は有線で情報の送受が行われる
ことを特徴とする請求項７記載の情報処理装置。
【請求項１０】
前記キー入力装置と前記制御装置の間は無線で情報の送受が行われる
ことを特徴とする請求項７記載の情報処理装置。
【発明の詳細な説明】
【技術分野】
【０００１】
本発明は、パーソナルコンピュータ等において利用者が情報の入力を行うキー入力装置およびこのキー入力装置を備えた情報処理装置に関する。詳しくは、キー入力装置を２分割し、利用者の一方の大腿部と他方の大腿部に装着できるようにすることで、移動の自由を確保しつつ、着席あるいは起立した姿勢のいずれでも両手を使って情報の入力を行えるようにしたものである。
【背景技術】
【０００２】
図１１は従来のキーボードの構成例を示す平面図である。コンピュータ機器の情報入力に用いられるキーボード１００は、所定の規則に基づき数字やアルファベットのキーが配置されている。このようなキーボード１００は、英文タイプと同じ指配置により、キーボードを見ずに両手を用いてキー入力する方法、いわゆるブラインドタッチを習得した者にとっては、現時点で最も確実、かつ、高速にコンピュータ機器に情報を入力できる装置である。
【０００３】
また、コンピュータ機器を携帯して使用する形態、例えばコンピュータ機器を着用するような形態で使用するウェアラブルコンピュータも近年提案されている。ウェアラブルコンピュータに使用されるキーボードとしては、例えば片手入力用のキーボードが提案されている（例えば、特許文献１参照。）。
【０００４】
【特許文献１】特開平６−１０２９７９号公報
【発明の開示】
【発明が解決しようとする課題】
【０００５】
しかしながら、コンピュータ機器を携帯して使用する場合、従来のキーボードでは以下のような問題があった。すなわち、従来の両手入力用の一般的なキーボードは、キーボードを載せるテーブルが無い、もしくはキーボードを載せる大きさのテーブルが確保できない場合は、事実上ブラインドタッチによる情報の入力を行うことは不可能であった。また、従来のキーボードを利用者の体に装着しても、移動が困難であったり入力が困難であったり等、ウェアラブルコンピュータのキーボードとして実用化できるものではなかった。
【０００６】
このため、従来のキーボードでは、移動を伴いつつ情報の入力が必要な状況で使用する場合、移動先にその都度キーボードを置くテーブルを確保する必要があるため、移動しながらの情報の入力が基本的に困難であった。
【０００７】
また、片手入力用のキーボードでは、従来のキーボードによる入力を習得した利用者であっても入力手順の習得に時間がかかり、入力手順を習得しても、情報の入力には時間がかかる。
【０００８】
さらに、携帯できるキーボードとして折り畳み可能なキーボードが提案されているが、情報の入力の毎にキーボードを広げる動作、折りたたむ動作が必要で、入力したい状況が発生してから入力できるまでに時間がかかり、また、キーボードを置くテーブル類はやはり必要であった。
【０００９】
本発明は、このような課題を解決するためになされたもので、利用者の体に装着して、着席あるいは起立した姿勢のいずれであっても情報の入力をできるようにしたキー入力装置および情報処理装置を提供することを目的とする。
【課題を解決するための手段】
【００１０】
上述した課題を解決するため、本発明に係るキー入力装置は、キー入力手段を有する第１の入力部と、キー入力手段を有し、第１の入力部と独立した第２の入力部と、第１の入力部を利用者の一方の大腿部に固定する第１の固定手段と、第２の入力部を利用者の他方の大腿部に固定する第２の固定手段とを備えたものである。
【００１１】
本発明に係るキー入力装置によれば、第１の入力部は利用者の例えば右足の大腿部に装着され、第２の入力部は利用者の左足の大腿部に装着される。これにより、利用者は、着席あるいは起立した姿勢で、右手では第１の入力部を操作し、左手では第２の入力部を操作して情報の入力を行う。
【００１２】
本発明に係る情報処理装置は、上述したキー入力装置を備えたものである。すなわち、キー入力手段を有する第１の入力部と、キー入力手段を有し、第１の入力部と独立した第２の入力部と、第１の入力部を利用者の一方の大腿部に固定する第１の固定手段と、第２の入力部を利用者の他方の大腿部に固定する第２の固定手段とを備えたキー入力装置と、情報の出力装置と、キー入力装置の操作に応じて出力装置に情報を出力する制御装置とを備えたものである。
【００１３】
本発明に係る情報処理装置によれば、キー入力装置の第１の入力部は利用者の例えば右足の大腿部に装着され、第２の入力部は利用者の左足の大腿部に装着される。これにより、利用者は、着席あるいは起立した姿勢で、右手では第１の入力部を操作し、左手では第２の入力部を操作して情報の入力を行う。
【００１４】
キー入力装置で入力された情報は制御装置で処理され、処理結果は出力装置で出力される。
【発明の効果】
【００１５】
本発明に係るキー入力装置は、第１の入力部が利用者の大腿部、例えば右足の大腿部に装着され、第１の入力部とは独立した第２の入力部が左足の大腿部に装着される。利用者は、右手では第１の入力部を操作することができ、左手では第２の入力部を操作することができる。
【００１６】
これにより、移動の自由が確保され、かつ、着席あるいは起立した姿勢のいずれでも情報の入力を行うことができる。例えば、第１の入力部は右手による入力に割り当てられたキー配列とし、第２の入力部は左手による入力に割り当てられたキー配列とすることで、キーを見ないで入力を行ういわゆるブラインドタッチによる情報の入力が可能となり、操作性に優れたキー入力装置となる。
【００１７】
本発明に係る情報処理装置は、上述したキー入力装置が組み込まれることで、場所を選ばずに使用することができる。例えば、出力装置として利用者の頭部に装着される表示装置を用いることで、移動しながらの使用等も可能となる。
【発明を実施するための最良の形態】
【００１８】
以下、図面を参照して本発明のキー入力装置および情報処理装置の実施の形態について説明する。図１は本実施の形態のキー入力装置の構成例を示す斜視図である。
【００１９】
キー入力装置１は、右手用キーボード２Ｒと左手用キーボード２Ｌを備える。右手用キーボード２Ｒは第１の入力部の一例で、筐体３Ｒにキー入力手段としての複数のキー４Ｒを備える。また、筐体３Ｒの下面に第１の固定手段としての固定ベルト５Ｒを備える。
【００２０】
左手用キーボード２Ｌは第２の入力部の一例で、右手用キーボード２Ｒの筐体３Ｒとは独立した筐体３Ｌにキー入力手段としての複数のキー４Ｌを備える。また、筐体３Ｌの下面に第２の固定手段としての固定ベルト５Ｌを備える。
【００２１】
固定ベルト５Ｒ，５Ｌは、利用者の大腿部に装着できるように開閉でき、かつ大腿部の太さに合わせて長さの調整ができる構成であることが望ましい。例えば周知のマジックテープ（登録商標）５Ｍを使うことが考えられる。また、伸縮性を有する材質で構成してもよい。
【００２２】
キー４Ｒ，４Ｌが取り付けられ、キースイッチを構成する図示しない基板は可とう性を有するフレキシブル基板等で構成する。また、筐体３Ｒ，３Ｌもビニール等の可とう性を有する材質で構成する。これにより、右手用キーボード２Ｒおよび左手用キーボード２Ｌは、装着する利用者の大腿部にあわせて自在に折り曲げられる構成となっている。
【００２３】
このように、右手用キーボード２Ｒおよび左手用キーボード２Ｌを大腿部にあわせた形状とできることで、大腿部に装着した場合に身体から突出する部分が少なくなり、移動時に右手用キーボード２Ｒあるいは左手用キーボード２Ｌをぶつける等のトラブルの発生を防ぐことができるとともに、狭い場所でも使用することができる。
【００２４】
なお、筐体３Ｒ，３Ｌをプラスチック等の樹脂で構成し、キー４Ｒ，４Ｌを設けた上面側を凸状とし、固定ベルト５Ｒ，５Ｌを設けた下面側を凹状とした湾曲形状としても、同等の効果が得られる。このように、筐体３Ｒ，３Ｌ等を構成する材質は特に指定はない。
【００２５】
キーボード間接続ケーブル６は、右手用キーボード２Ｒと左手用キーボード２Ｌを接続する通信ケーブルである。なお、本例では有線で接続する形態としているが、通信方法は有線に限るものではなく、無線を用いても良い。
【００２６】
外部機器接続ケーブル７は、キー入力装置１を周知のパーソナルコンピュータ（ＰＣ）やＰＤＡ（Personal Digital Assistants）と接続するための通信ケーブルである。外部機器接続コネクタ８は、ＰＣやＰＤＡのコネクタと接続するための接続コネクタであり、例えば、ＵＳＢ（Universal Serial Bus）コネクタである。
【００２７】
図２はキーの配置例を示す説明図である。右手用キーボード２Ｒのキー４Ｒは、周知のＪＩＳ型のキーボードにおいて主に右手による入力に割り当てられている数字やアルファベットに対応したキーであり、ＪＩＳ型キーボードのキー配置に合わせてある。同様に、左手用キーボード２Ｌのキー４Ｌは、ＪＩＳ型のキーボードにおいて主に左手による入力に割り当てられている数字やアルファベットに対応したキーであり、ＪＩＳ型キーボードのキー配置に合わせてある。
【００２８】
ブラインドタッチにより情報の入力が行われることを考慮すると、数字およびアルファベットのキー配置はこの図２に示す様態が望ましい。なお、記号やその他のファンクションキーは、右手用キーボード２Ｒに配置するか左手用キーボード２Ｌに配置するかは指定はない。
【００２９】
図３は本実施の形態の情報処理装置の構成例を示す説明図で、上述したキー入力装置１を備えた情報処理装置の構成について説明する。情報処理装置１１は、キー入力装置１と、制御装置１２およびヘッドマウントディスプレイ１３を備える。
【００３０】
制御装置１２は後述するようにＣＰＵ（Central Processing Unit：中央演算処理装置）やＲＡＭ（Random Access Memory）等を備えた周知のコンピュータである。制御装置１２は、Ｗｉｎｄｏｗｓ（登録商標）やＬｉｎｕｘ等のＯＳ（オペレーティングシステム）によって、キー入力装置１を用いる任意のソフトウエアを動作させ、例えばキー入力装置１から入力された文字等を取り込み、ヘッドマウントディスプレイ１３に映像を表示する。制御装置１２は利用者に装着して使用されるため、小形軽量で耐振動性に優れた構造であることが望ましい。このため、ハードディスクドライブ装置（ＨＤＤ）を持たない形態とすることも考えられる。
【００３１】
ヘッドマウントディスプレイ１３は出力装置の一例で、小形の液晶ディスプレイ等の表示装置を備える。なお、ヘッドマウントディスプレイは周知のものを利用すればよく、特に形態の指定はない。
【００３２】
上述した図３はキー入力装置１等の装着例も示しており、次にキー入力装置１の装着例について説明する。キー入力装置１の右手用キーボード２Ｒは、利用者の右足の大腿部に固定ベルト５Ｒによって装着される。右手用キーボード２Ｒは可とう性を有するので、大腿部に密着するような形で装着される。同様に、左手用キーボード２Ｌは利用者の左足の大腿部に固定ベルト５Ｌによって密着するような形で装着される。
【００３３】
右手用キーボード２Ｒおよび左手用キーボード２Ｌを大腿部に装着するときのキー４Ｒ，４Ｌの上下方向は、利用者が自分の大腿部を見たときに正しくキーの文字が読める方向となるように装着する。すなわち、第三者から利用者を見た場合、図３に示すようにキー４Ｒ，４Ｌが上下逆となるように、右手用キーボード２Ｒおよび左手用キーボード２Ｌを装着する。
【００３４】
また、右手用キーボード２Ｒおよび左手用キーボード２Ｌの装着範囲１４は、膝から腰骨周辺までとする。起立と着席を繰り返すような状況下では、膝に近い位置に右手用キーボード２Ｒおよび左手用キーボード２Ｌを装着する。起立した状態が基本であれば、腰骨に近い位置に右手用キーボード２Ｒおよび左手用キーボード２Ｌを装着する。
【００３５】
右手用キーボード２Ｒおよび左手用キーボード２Ｌは固定ベルト５Ｒ，５Ｌで大腿部に装着されるので、装着位置を自由に選ぶことができる。なお、右手用キーボード２Ｒおよび左手用キーボード２Ｌは、装着した大腿部から自重でずり落ちる可能性があるので、ズボンのベルトから吊すような補助装着具の使用も想定される。
【００３６】
このように、左右の大腿部の任意の位置に右手用キーボード２Ｒおよび左手用キーボード２Ｌを装着することで、起立時や着席時に自然に手を置いた位置にキー４Ｒ，４Ｌが存在するようになる。よって、特にブラインドタッチを習得していれば、入力はいたって自然に、かつスムーズに行うことが可能となる。
【００３７】
なお、制御装置１２は例えば利用者のベルトに装着される。また、ヘッドマウントディスプレイ１３は利用者の頭部に例えばベルト等により装着される。
【００３８】
図４はキー入力装置の制御系の構成例を示すブロック図である。キー入力装置１の右手用キーボード２Ｒは、右手キーボードスイッチ２１Ｒと右手キーボード回路２２Ｒを備える。左手用キーボード２Ｌは、左手キーボードスイッチ２１Ｌと左手キーボード回路２２Ｌを備える。
【００３９】
図１でも示したキーボード間接続ケーブル６は、右手キーボード回路２２Ｒと左手キーボード回路２２Ｌとを接続する通信ケーブルである。本例では有線であるが、有線か無線かは特に指定はない。また、右手用キーボード２Ｒと左手用キーボード２Ｌの間で電源をキーボード間接続ケーブル６経由で供給するか、それぞれにバッテリーを持たせるかも特に指定はない。
【００４０】
図１でも説明した外部機器接続ケーブル７は、一般的なＰＣやＰＤＡへ接続するための通信ケーブルである。外部機器接続コネクタ８は、外部機器接続ケーブル７を一般的なＰＣやＰＤＡのコネクタへ接続するための接続コネクタである。
【００４１】
図５は情報処理装置の制御系の構成例を示すブロック図である。情報処理装置１１の制御装置１２は、ＣＰＵ３１、ＲＡＭ３２、ＲＯＭ３３、ビデオＩ／Ｏ３４および外部機器通信Ｉ／Ｏ３５を備える。
【００４２】
ＣＰＵ３１はＯＳや任意のアプリケーションプログラムを実行可能なマイクロプロセッサである。使用するＯＳやアプリケーションプログラムの種類に指定はない。
【００４３】
ＲＡＭ３２は汎用のメモリである。スタティックラム（ＳＲＡＭ）あるいはダイナミックラム（ＤＲＡＭ）等の種別は問わない。ＲＯＭ（Read Only Memory）３３はプログラム等を格納する汎用のメモリである。ＲＯＭ３３には一般的にブートプログラム等が格納されるが、制御装置１２がハードディスクドライブ装置（ＨＤＤ）等の記憶装置を持たない場合は、アプリケーションプログラムもこのＲＯＭ３３に格納される。
【００４４】
ビデオＩ／Ｏ３４は図３にも示したヘッドマウントディスプレイ１３に文字や図形等の映像を表示するための汎用のインターフェースである。ビデオＩ／Ｏは既知のものであり、種類は特に指定はない。
【００４５】
外部機器通信Ｉ／Ｏ３５はＣＰＵ３１と外部機器、本例ではキー入力装置１との間で通信するための通信インターフェースである。通信プロトコル等に指定は無いが、例えばＵＳＢインターフェース等が想定される。また、図１等に示す外部機器接続ケーブル７を用いた有線による接続形態以外に、無線による接続形態でも良い。
【００４６】
図６は右手用キーボードの制御系の構成例を示すブロック図である。右手用キーボードの制御系を構成する右手キーボード回路２２Ｒは、ＣＰＵ４１、ＲＡＭ４２、ＲＯＭ４３、キーボード間通信Ｉ／Ｏ４４およびキー入力Ｉ／Ｏ４５を備える。ＣＰＵ４１は汎用のマイクロプロセッサであり、アーキテクチャー等に指定はない。ＲＡＭ４２は汎用のメモリであり、ＳＲＡＭ／ＤＲＡＭ等の種別は問わない。
【００４７】
ＲＯＭ４３は右手キーボード制御プログラムを格納したメモリである。キーボード間通信Ｉ／Ｏ４４は、図４等に示す左手キーボード回路２２Ｌに対し、右手用キーボード２Ｒで押されたキーコードを送信するための通信インターフェースである。有線、無線、プロトコルに特に指定はない。
【００４８】
キー入力Ｉ／Ｏ４５は、右手キーボードスイッチ２１Ｒの入力を受けるインターフェースである。右手キーボードスイッチ２１Ｒは、図１等に示す右手用キーボード２Ｒのキー４Ｒによって作動し、一つのキートップが一つのキースイッチ４６になっている。キースイッチ４６の状態が読み取れれば、キー入力Ｉ／Ｏ４５の入力方法に特に指定はない。
【００４９】
図７は左手用キーボードの制御系の構成例を示すブロック図である。左手用キーボードの制御系を構成する左手キーボード回路２２Ｌは、ＣＰＵ５１、ＲＡＭ５２、ＲＯＭ５３、キーボード間通信Ｉ／Ｏ５４、外部機器通信Ｉ／Ｏ５５およびキー入力Ｉ／Ｏ５６を備える。ＣＰＵ５１は汎用のマイクロプロセッサであり、アーキテクチャー等に指定はない。ＲＡＭ５２は汎用のメモリであり、ＳＲＡＭ／ＤＲＡＭ等の種別は問わない。
【００５０】
ＲＯＭ５３は左手キーボード制御プログラムを格納したメモリである。キーボード間通信Ｉ／Ｏ５４は、図４等に示す右手用キーボード２Ｒで押されたキーコードを右手キーボード回路２２Ｒから受信するための通信インターフェースである。有線、無線、プロトコルに特に指定はない。
【００５１】
外部機器通信Ｉ／Ｏ５５は、図５等に示す制御装置１２のＣＰＵ３１と通信するための通信インターフェースである。通信プロトコル等に指定はないが、例えばＵＳＢインターフェース等が想定される。
【００５２】
キー入力Ｉ／Ｏ５６は、左手キーボードスイッチ２１Ｌの入力を受けるインターフェースである。左手キーボードスイッチ２１Ｌは、図１等に示す左手用キーボード２Ｌのキー４Ｌによって作動し、一つのキートップが一つのキースイッチ５７になっている。キースイッチ５７の状態が読み取れれば、キー入力Ｉ／Ｏ５６の入力方法に特に指定はない。
【００５３】
次に、本実施の形態のキー入力装置１および情報処理装置１１の動作について説明する。図８は右手用キーボードの動作例を示すフローチャートである。この図８に示すフローチャートは、右手キーボード回路２２ＲのＲＯＭ４３に格納される右手キーボード制御プログラムによって実行される処理の一例である。
【００５４】
ステップＳＡ１：キーボード間通信Ｉ／Ｏ４４を初期化し、左手キーボード回路２２Ｌとの通信が行える状態にする。例えば、一般的なシリアル通信を用いる場合は、ボーレートやビット幅等の設定を行う。
【００５５】
ステップＳＡ２：ＣＰＵ４１はキー入力Ｉ／Ｏ４５からの入力を読み込み、キースイッチ４６の状態を取得する。
【００５６】
ステップＳＡ３：ＣＰＵ４１はキー入力Ｉ／Ｏ４５からの入力より何かのキーが押されたかどうか判定する。もしキーが押されていたら次のステップＳＡ４に進み、キーが押されていなかったらステップＳＡ２に戻る。
【００５７】
ステップＳＡ４：ＣＰＵ４１は、キー入力Ｉ／Ｏ４５の状態からどのキースイッチ４６が押されたか特定して、押されたキースイッチ４６に対応したキーコードに変換する。なお、キーボードにおいてどのキーが押されたかを特定する方法は周知の技術を用いれば良い。
【００５８】
ステップＳＡ５：ＣＰＵ４１は、キー入力Ｉ／Ｏ４５の状態から特定した押されたキーに対応したキーコードを、キーボード間通信Ｉ／Ｏ４４により左手キーボード回路２２Ｌに送信し、ステップＳＡ２に戻る。
【００５９】
図９は左手用キーボードの動作例を示すフローチャートである。この図９に示すフローチャートは、左手キーボード回路２２ＬのＲＯＭ５３に格納される左手キーボード制御プログラムによって実行される処理の一例である。
【００６０】
ステップＳＢ１：外部機器通信Ｉ／Ｏ５５を初期化し、外部機器、本例では図５等に示す制御装置１２との通信が行える状態にする。例えば、一般的なシリアル通信を用いる場合は、ボーレートやビット幅等の設定を行う。
【００６１】
ステップＳＢ２：キーボード間通信Ｉ／Ｏ５４を初期化し、右手キーボード回路２２Ｒとの通信が行える状態にする。例えば、一般的なシリアル通信を用いる場合は、ボーレートやビット幅等の設定を行う。
【００６２】
ステップＳＢ３：ＣＰＵ５１はキー入力Ｉ／Ｏ５６からの入力を読み込み、キースイッチ５７の状態を取得する。
【００６３】
ステップＳＢ４：ＣＰＵ５１はキー入力Ｉ／Ｏ５６からの入力より何かのキーが押されたかどうか判定する。もしキーが押されていたら次のステップＳＢ５に進み、キーが押されていなかったらステップＳＢ３に戻る。
【００６４】
ステップＳＢ５：ＣＰＵ５１は、キー入力Ｉ／Ｏ５６の状態からどのキースイッチ５７が押されたか特定して、押されたキースイッチ５７に対応したキーコードに変換する。
【００６５】
ステップＳＢ６：ＣＰＵ５１は、キー入力Ｉ／Ｏ５６の状態から特定した押されたキーに対応したキーコードを、外部機器通信Ｉ／Ｏ５５により制御装置１２に送信する。
【００６６】
ステップＳＢ７：キーボード間通信Ｉ／Ｏ５４により右手キーボード回路２２Ｒからキーコードを受信する。
【００６７】
ステップＳＢ８：ＣＰＵ５１は、右手キーボード回路２２Ｒからキーコードを受信したかどうか判定する。もし受信データがあれば次のステップＳＢ９に進み、受信データがなければステップＳＢ３に戻る。
【００６８】
ステップＳＢ９：ＣＰＵ５１は、右手キーボード回路２２Ｒから受信したキーコードを、外部機器通信Ｉ／Ｏ５５により制御装置１２に送信する。
【００６９】
図１０は情報処理装置の動作例を示すフローチャートである。この図１０に示すフローチャートは、上述したようにキー入力装置１から入力した文字をヘッドマウントディスプレイ１３に表示するプログラムにより実行される処理の一例である。
【００７０】
ステップＳＣ１：ビデオＩ／Ｏ３４を初期化する。例えば、ビデオＩ／Ｏ３４内のレジスタを設定し、レゾリューション等の情報を設定する。なお、これら設定情報は、制御装置１２に接続するヘッドマウントディスプレイ１３に依存する。
【００７１】
ステップＳＣ２：キー入力装置１から１文字を取得する。すなわち、ＣＰＵ３１は外部機器通信Ｉ／Ｏ３５でキー入力装置１の右手キーボード回路２２Ｒからのキーコードを受信するとともに、左手キーボード２２Ｌからのキーコードを受信する。ＣＰＵ３１は左右のキーボードから受信したキーコードから、キー入力装置１で入力された数字やアルファベット等の文字を特定する。
【００７２】
ステップＳＣ３：ＣＰＵ３１は外部機器通信Ｉ／Ｏ３５で受信したキーコードより１文字分のデータが取得できたかどうか判定する。もし１文字分のデータが取得できていたら次のステップＳＣ４に進み、１文字分のデータが取得できていなければステップＳＣ２に戻る。
【００７３】
ステップＳＣ４：ＣＰＵ３１はキー入力装置１での入力に対応した文字を表示するためのデータをビデオＩ／Ｏ３４に出力し、ビデオＩ／Ｏ３４によりヘッドマウントディスプレイ１３に送信する。ヘッドマウントディスプレイ１３では、制御装置１２から受信した文字データに従い文字等を表示する。
【００７４】
以上説明したように、本実施の形態のキー入力装置１は、利用者に装着して使用するキーボードで、ブラインドタッチによる情報の入力を実現できる。そして、従来のキーボードによる情報の入力を習得した利用者であれば、新規に入力方法を覚える必要はなく、容易に使うことができる。
【００７５】
このようなキー入力装置１とヘッドマウントディスプレイ１３、小型の制御装置１２を組み合わせた情報処理装置１１では、使い勝手に優れたウェアラブルコンピュータを実現できる。例えば、整備や製造を行っている作業者がマニュアル等の閲覧をしたい場合、キーワードの検索などにはキーボードが必需品である。作業現場において、起立した状態にも拘わらず、デスクワークと全く同じ状況でコンピュータ機器を使えることで、作業効率が大幅に向上する。
【００７６】
なお、上述したキー入力装置１に、ポインティングデバイスによる入力手段を追加してもよい。この場合、右手用キーボード２Ｒと左手用キーボード２Ｌのいずれかに備えても良いし、両方に備えてもよい。
【産業上の利用可能性】
【００７７】
本発明は、従来のキーボードを使用した情報の入力方法を用いつつ、利用者が着用する形態で使用するウェアラブルコンピュータに適用することができる。
【図面の簡単な説明】
【００７８】
【図１】本実施の形態のキー入力装置の構成例を示す斜視図である。
【図２】キースイッチの配置例を示す説明図である。
【図３】本実施の形態の情報処理装置の構成例を示す説明図である。
【図４】キー入力装置の制御系の構成例を示すブロック図である。
【図５】情報処理装置の制御系の構成例を示すブロック図である。
【図６】右手用キーボードの制御系の構成例を示すブロック図である。
【図７】左手用キーボードの制御系の構成例を示すブロック図である。
【図８】右手用キーボードの動作例を示すフローチャートである。
【図９】左手用キーボードの動作例を示すフローチャートである。
【図１０】情報処理装置の動作例を示すフローチャートである。
【図１１】従来のキーボードの構成例を示す平面図である。
【符号の説明】
【００７９】
１・・・キー入力装置、２Ｒ・・・右手用キーボード、２Ｌ・・・左手用キーボード、３Ｒ，３Ｌ・・・筐体、４Ｒ，４Ｌ・・・キー、５Ｒ，５Ｌ・・・固定ベルト、６・・・キーボード間接続ケーブル、７・・・外部機器接続ケーブル、８・・・外部機器接続コネクタ、１１・・・情報処理装置、１２・・・制御装置、１３・・・ヘッドマウントディスプレイ、１４・・・装着範囲、２１Ｒ・・・右手キーボードスイッチ、２１Ｌ・・・左手キーボードスイッチ、２２Ｒ・・・右手キーボード回路、２２Ｌ・・・左手キーボード回路、３１・・・ＣＰＵ、３２・・・ＲＡＭ、３３・・・ＲＯＭ、３４・・・ビデオＩ／Ｏ、３５・・・外部機器通信Ｉ／Ｏ、４１・・・ＣＰＵ、４２・・・ＲＡＭ、４３・・・ＲＯＭ、４４・・・キーボード間通信Ｉ／Ｏ、４５・・・キー入力Ｉ／Ｏ、４６・・・キースイッチ、５１・・・ＣＰＵ、５２・・・ＲＡＭ、５３・・・ＲＯＭ、５４・・・キーボード間通信Ｉ／Ｏ、５５・・・外部機器通信Ｉ／Ｏ、５６・・・キー入力Ｉ／Ｏ、５７・・・キースイッチ
【図１】
2005148855.tif 000003
【図２】
2005148855.tif 000004
【図３】
2005148855.tif 000005
【図４】
2005148855.tif 000006
【図５】
2005148855.tif 000007
【図６】
2005148855.tif 000008
【図７】
2005148855.tif 000009
【図８】
2005148855.tif 000010
【図９】
2005148855.tif 000011
【図１０】
2005148855.tif 000012
【図１１】
2005148855.tif 000013